(57)【要約】      （修正有）【課題】誤発報を防止、減少させて火災警報の信頼度を向上させる。【解決手段】  精神障害者、知的障害者、痴呆性老人の利用する施設等では、職員が必ず間仕切り扉の開閉のため、鍵を持って勤務しているので、常時必ず携行している鍵を使用して、簡易かつ迅速に発信出来るようにし、鍵を常時携行しない環境の施設では、常時職員の全員が非常用の鍵を決めて携行することで、同じ効果が得られるようにした。  鍵挿入口に物品の挿入を検知するためのスイッチを設け、異物品の挿入等異常時にはブザーを鳴らせてを知らせ、施設の職員が早期に気づき事前に対処することで、誤発信を未然に防止出来るようにした。  鍵等の使用が不必要な場合は、押しボタン式火災報知機の押しボタンの発信回路に、押しボタン式誤発信防止スイッチを増設し、２ヶ所が同時に通電しないと発信出来ないようにした。【選択図】  図１
2006048616.tif 000002
【特許請求の範囲】
【請求項１】
押しボタン式火災報知機の外周の一部に、鍵穴を設け鍵挿入口に手持ちの鍵又は鍵状金属片を挿入して、常時非接続状態にしている割り込みスイッチの、発信回路を接続することにより、発信用押しボタンスイッチを押し発信することが出来る、押しボタン式火災報知機の発信機。
【請求項２】
押しボタン式火災報知機の外周の一部に、発信回路接続用のスイッチを設け発信ボタン回路を常時非接続状態にし発信回路接続用のスイッチを押し接続することで、発信用押しボタンスイッチを押し発信することが出来る、押しボタン式火災報知機の発信機。
【請求項３】
請求項１、請求項２の機能を備えた、後付けカバー
【発明の詳細な説明】
【発明の詳細な説明】
【技術分野】
【０００１】  本発明は押しボタン式火災報知機の、機能の理解が困難な利用者が利用する諸施設で、故意に依らない誤発信を防止するため、発信回路に誤発信防止用のスイッチ回路を設け、火災等の発生時には職員が、簡易に押しボタン式火災報知機の回路を接続し、発信することが出来することを特徴とする、押しボタン式火災報知機の発信機であり、主として精神障害者（児）施設、知的障害者（児）施設、痴呆性老人施設等で、行動に障害のある人たちが利用する施設に設置するものである。
【背景技術】
【０００２】  精神障害者（児）施設、知的障害者（児）施設、痴呆性老人施設等で、行動に障害のある人たちが利用する施設の設備も、一般と同じような設備構造になっており、行動に障害のある人たちの障害の特殊性等を考慮して作られた、押しボタン式火災報知機は見あたらない。
【発明が解決しようとする課題】
【０００３】  利用者が無用に、押しボタン式火災報知機の押しボタンを押し、誤発信を繰り返すために、受信機側で回路を遮断して、非常警報装置が作動しないようにしなければならなくなる施設等があるため、誤発信を防止し、かつ、発信が必要な際は簡易に発信が出来るようにする。
常に誤発信を繰り返すと、警報設備への信頼度が低下し、実際の火災等が発生した場合に火災警報への信頼度が低下しているために、迅速な行動が取れず避難行動の遅れ等が発生するなど、防災上に支障をきたすため、誤発信を、無くして警報の信頼度を高め、より一層の安全を確保する。
行動に障害のある人たちが利用する施設では、施設利用者の中に、押しボタン式火災報知機の、機能の理解が困難な人もいるため、故意に依らず無用に押しボタン式火災報知機の押しボタンを押してしまい、誤発信が発生すると通報システムが、消防署等へ直接に接続されている施設もあり、誤発信を減少させることで火災通報の正確度、信頼度を向上させる。
また、誤発信が発生した施設では、施設内全域で実際に火災等が発生していないか、点検、確認しなければならないため、施設で誤発信が発生すると施設の経済的損失は、多大であるため誤発信を減少、防止する。
【課題を解決するための手段】
【０００４】  精神障害者（児）施設、知的障害者（児）施設、痴呆性老人施設等では、間仕切り扉の施解錠のため、職員の全員が勤務中は、鍵を必ず携行しなければ勤務出来ないので、鍵を常時必ず携行しているため、その手持ちの鍵を使用して簡易に、誤発信防止用の回路を接続し、発信押しボタンを押し発信することが、出来るようにした。
鍵を常時携行しない環境の施設では、特定の鍵を常時携行することで発信できるようにした。
【０００５】  鍵挿入口に挿入検知スイッチを取付け、無用に鍵の挿入部に何らかの物品を挿入された時は、挿入検知スイッチが挿入を検知しブザーで警報を発して警告し、無用の発信の可能性を事前に職員に知らせ、対処することで誤発信を未然に防止するようにした。
【０００６】  鍵が必要でない場合は押しボタン式火災報知機の外周に誤発信防止用スイッチを設け発信用スイッチと同時に発信用押しボタンスイッチが接続されないと発信しないようにした。
【発明の効果】
【０００７】  誤発信を無くすことにより、火災警報が発信された際の信頼度が高まり、迅速かつ正確な避難行動がとれるので、防災上の安全性が向上する。
誤発信による、消防署等関係機関の不要な作業が減少し、経済的効果がある。
施設等で誤発信が発生すると、実際に火災等が発生していないかの、点検、安全確認のための後処理作業が必要とされるため、誤発信が無くなれば、大きな経済的効果がある。
誤発信が常時多発するため、回線を遮断しなければならない施設等では、飛躍的に防災上の安全が向上し確保される。
【発明を実施するための最良の形態】
【０００８】  図１は本発明の正面図、図２は同、側面図であり、
ケース１に設けた鍵挿入口５より、鍵又は鍵状金属片１０を挿入し、挿入部奥の誤発信防止用スイッチ４を鍵又は鍵状金属片１０で押し、誤発信防止用スイッチ回路を接続状態にして発信用押しボタン２を押し発信出来る。【０００９】  表ケース１に設けた鍵挿入口５より、異物品や鍵又は鍵状金属片１０を挿入すると、挿入検知爪８が押され、挿入検知爪８は挿入検知爪ボス９を中心に回転し、挿入検知スイッチ３を押し警告ブザー１１を鳴らせて警報を発する。【００１０】  図３は、本発明の回路図であり
押しボタン発信回路１３に誤発信防止用スイッチ４を組み込むことで、在来の押しボタン式火災警報機も改造が可能である。【００１１】  鍵挿入口５には鍵誘い側板６の位置を変更しさらに鍵誘い上板７で厚さの調節を行い、現在使用している鍵又は鍵状金属片１０に合わることでスムーズな挿入を可能にし、使用できる鍵の種類を制約出来るようにした。【００１２】  図４は、鍵又は鍵状金属片１０等を使用しない場合の説明図であり
図に示すようにケース１の一部に押しボタン式誤発信防止スイッチ２１を取付け、誤発信防止用押しボタン２１ａと発信用押しボタン２を、同時に押さなければ発信出来ないようにした。【００１３】  図５は、本発明の、一連の作動を示す説明図であり、
「ステップ１」
平常時の状態である。
「ステップ２」
火災等の発生時、その他の時に鍵挿入口５に鍵又は鍵状金属片１０や異物品挿入された時は挿入検知爪８が押し上げられ挿入検知スイッチ３を押し警告ブザー１１の回路を接続し警告を発する。
「ステップ３」
さらに挿入すると誤発信防止用スイッチ４の誤発信防止用スイッチ先端部４ａに鍵又は鍵状金属片１０の先端部が当たり押し込むと、誤発信防止用スイッチ４の回路が接続され発信が可能になる。
「ステップ４」
誤発信防止用スイッチ４は切り替え式のスイッチであるため、鍵又は鍵状金属片１０を引き抜いても、誤発信防止用スイッチ先端部４ａは戻らないため、発信は出来る。
「ステップ５」
発信後の復帰は鍵挿入口５より専用の金具で誤発信防止用スイッチ４の誤発信防止用スイッチ先端部４ａを手前に引き復旧させる。
【図面の簡単な説明】
【図１】  本発明装置の正面図
【図２】  同、側面図
【図３】  同、回路図
【図４】  同、鍵を使用しない場合の図
【図５】  同、一連の作動の説明図
【符号の説明】
１  ケース    ２  発信用押しボタン    ２ａ  発信スイッチ    ３  挿入検知スイッチ
４  誤発信防止用スイッチ    ４ａ  誤発信防止用スイッチ先端部
５  鍵挿入口    ６  鍵誘い側板    ７  鍵誘い上板
８  挿入検知爪    ９  挿入検知爪ボス    １０  鍵又は鍵状金属片
１１  警告ブザー    １２  乾電池    １３  押しボタン発信回路
２１  押しボタン式誤発信防止スイッチ    ２１ａ  式誤発信防止用押しボタン
【図１】
2006048616.tif 000003
【図２】
2006048616.tif 000004
【図３】
2006048616.tif 000005
【図４】
2006048616.tif 000006
【図５】
2006048616.tif 000007